(57)【要約】【課題】棚部材を取付ける際に、水平に位置する棚受部を容易に判断し得るようにする。【解決手段】棚受部４８は、収納室２０の幅方向に対向する両側壁面４０ｂ,４０ｂに前後方向に延在するよう形成され、各側壁面４０ｂの上下方向に亘って一定間隔で複数設けられる。棚受部４８における前端部４８ａの位置を、上方および下方に隣り合う棚受部４８,４８と異なる位置になるよう設定する。上下に隣り合う棚受部４８,４８は、その前端部４８ａの位置が断熱箱体４０の開口部４０ａに近接する側にある第１の棚受部４８と、前端部４８ａが後方に偏倚して形成された第２の棚受部４８とを１単位として、上下方向に亘って前端部４８ａ,４８ａが前後する同じパターンで繰り返される。【選択図】図１
2005080905.tif 000002
【特許請求の範囲】
【請求項１】
箱体(40)の内部に画成した収納室(20)の両側壁面(40b,40b)に、前後方向に延在する棚受部(48,48)を上下方向に離間して複数設け、両側の棚受部(48,48)で物品載置用の棚部材(24)を支持する貯蔵庫の棚構造において、
前記対をなす棚受部(48,48)における前端部(48a,48a)の位置を、上方および下方に隣り合う別の対をなす棚受部(48,48)における前端部(48a,48a)の位置と異ならせるよう設定した
ことを特徴とする貯蔵庫の棚構造。
【発明の詳細な説明】
【技術分野】
【０００１】
この発明は、冷蔵ショーケースや温蔵庫等の貯蔵庫において、貯蔵物品が載置される棚部材を棚受部で収納室の所要位置に支持する貯蔵庫の棚構造に関するものである。
【背景技術】
【０００２】
図６に示すように、食品や飲料品等の物品を冷蔵、冷凍や保温等して保存する貯蔵庫１０は、内箱１４と外箱１６とで画成される空間部分に断熱材１８を充填した断熱箱体１２を本体とし、この断熱箱体１２の内部には、物品を収納するための収納室２０が画成される。この収納室２０には、前方に開放する矩形状の開口部１２ａが開設され、該開口部１２ａは、その上下に配設されたレール部材でスライド自在に保持される扉２２により開閉可能に閉成される。
【０００３】
前記収納室２０内には、室内スペースを有効に利用するため、物品を載置する棚部材２４が必要に応じて設置される。例えば棚部材２４は、矩形状に形成した枠材２４ａに格子状に線材を組合わせて網状の載置面を形成している。前記棚部材２４を前記収納室２０の所要位置に保持する棚受の構造は、前記断熱箱体１２の両側壁面１２ｂ,１２ｂに前後方向に延在するよう凹設された棚受溝(棚受部)２５,２５に、前記棚部材２４の両側縁部を保持させる構成が提案されている(例えば、特許文献１参照)。すなわち、前記棚受溝２５は、前記収納室２０の壁面を構成する内箱１４の側面部分を凹状に形成して上下方向に離間して複数段設けられると共に、その前端は開放されて前記断熱箱体１２の開口部１２ａ(貯蔵庫１０の前側)から前記棚部材２４の挿入を許容するようになっている。そして、対向する対をなす棚受溝２５,２５の開設高さおよび間隔は同一となるよう設定され、同一水平面上に位置する棚受溝２５,２５に前記棚部材２４を取付けた際に、該棚部材２４が水平になるよう構成される。
【０００４】
前述した棚受の構造において、前記棚部材２４に載置した物品を安定した状態で保持するため、該棚部材２４における物品の載置面が水平になるよう棚受溝２５,２５に棚部材２４を保持させる必要がある。しかし、特に上下方向に隣り合う棚受溝２５,２５の間隔が狭い場合は、高さ位置の異なる棚受溝２５,２５に誤って棚部材２４を載置してしまい、該棚部材２４が斜めに設置されてしまうことがある。そこで、前記各棚受溝２５に対応する数字等を印字した帯状のシートからなる目印を側壁面１２ｂに貼付けることで、対をなす棚受溝２５,２５の位置を容易に確認できるよう構成することが提案されている(例えば、特許文献２参照)。
【特許文献１】特開平１１−２７６３１８号公報
【特許文献２】実開平５−６８３６０号公報
【発明の開示】
【発明が解決しようとする課題】
【０００５】
しかし、前記シート等の別部材で目印を設けることは、作業工数の増加等によりコストの上昇を招く問題が指摘される。また、目印となる別部材が剥がれたり破れたりすると、目印の役割を果たさなくなる。
【０００６】
すなわちこの発明は、従来の技術に係る貯蔵庫の棚構造に内在する前記問題に鑑み、これらを好適に解決するべく提案されたものであって、棚部材を取付ける際に、水平に位置する対になる棚受部を容易に判断し得る貯蔵庫の棚構造を提供することを目的とする。
【課題を解決するための手段】
【０００７】
前記課題を克服し、所期の目的を達成するため、本発明に係る貯蔵庫の棚構造は、
箱体の内部に画成した収納室の両側壁面に、前後方向に延在する棚受部を上下方向に離間して複数設け、両側の棚受部で物品載置用の棚部材を支持する貯蔵庫の棚構造において、
前記対をなす棚受部における前端部の位置を、上方および下方に隣り合う別の対をなす棚受部における前端部の位置と異ならせるよう設定したことを特徴とする。
【発明の効果】
【０００８】
本発明に係る貯蔵庫の棚構造によれば、上方および下方に隣り合う棚受部の前端部を異なる位置になるよう設定することで、対向する側壁面に設けられた棚受部において、同一水平面上に位置する棚受部を容易に見つけ出すことができる。また棚受部は、箱体と一体的に成形されるため、棚受部の水平位置の判断を助ける構成にすることについて、コストを上昇させることはない。
【発明を実施するための最良の形態】
【０００９】
次に、本発明に係る貯蔵庫の棚構造につき、好適な実施例を挙げて、添付図面を参照して以下に説明する。なお、説明の便宜上、図６に示した貯蔵庫の棚構造の構成要素と同一の要素については、同一の符号を使用して詳細な説明は省略する。
【実施例】
【００１０】
図１または図２に示すように、実施例に係る貯蔵庫の棚構造は、断熱箱体(箱体)４０で画成された収納室２０の両側壁面４０ｂ,４０ｂに一体形成された棚受部４８,４８で、棚部材２４を支持するよう構成されている。前記断熱箱体４０は、内箱４２と外箱４４と、両箱４２,４４の間に介在させた断熱材４６とからなり、前記収納室２０の壁面を構成する内箱４２の両側壁面４０ｂ,４０ｂに、前記棚受部４８,４８が該収納室２０の内方に突出するよう一体的に形成されている。なお、前記内箱４２は、箱状に形成された合成樹脂の成形品であって、例えば真空成形やインジェクション成形等の適宜の成形方法により形成される。前記棚受部４８は、前記収納室２０の幅方向に対向する両側壁面４０ｂ,４０ｂに前後方向に延在するよう形成され、各側壁面４０ｂの上下方向に亘って一定間隔で複数設けられる。
【００１１】
前記棚受部４８は、前記側壁面４０ｂから前記収納室２０の内方に突出形成されて、例えば断面形状が略三角形であって、該棚受部４８の上端面４８ｃは水平に延在している。また、図１に示すように、前記側壁面４０ｂに前後方向に延在する前記棚受部４８は、その前端部４８ａが上方および下方に隣接する別の棚受部４８の前端部４８ａと異なる位置になるように設定されている。但し、同一高さ位置で幅方向に対向して対をなす棚受部４８,４８の前端部４８ａ,４８ａの位置は、同一垂直線上に位置している。一方、前記棚受部４８の後端部４８ｂは、同一垂直線上に位置するようになっている。
【００１２】
実施例では、前端部４８ａの位置が異なる２種類の棚受部４８,４８が設けられており、説明の便宜上、一方を第１の棚受部４８、他方を第２の棚受部４８と指称するものとする。すなわち、各側壁面４０ｂにおいて、上下に隣り合う棚受部４８,４８のうち、上側に位置する第１の棚受部４８の前端部４８ａが、下方に位置する第２の棚受部４８の前端部４８ａに対して収納室２０における前側に偏倚した位置になっている。そして、前端部４８ａの位置が前記断熱箱体４０の開口部４０ａに近接する側にある第１の棚受部４８と、前端部４８ａが後方に偏倚して形成された第２の棚受部４８とを１単位として、各側壁面４０ｂには上下方向に亘って該前端部４８ａ,４８ａが前後する段状の同じパターンで繰り返されるように棚受部４８,４８が形成されている。従って、前記側壁面４０ｂにおいて、前記棚受部４８の延在寸法は、前記前端部４８ａの位置により長短するが、該棚受部４８の延在寸法は、前記棚部材２４を支持する上で支障がないように設定される。なお、前記棚受部４８の前端部４８ａとは、前記収納室２０の前後方向に延在する棚受部４８における断熱箱体４０の開口部４０ａに近接する部位に位置する部分を指す。
【００１３】
〔実施例の作用〕
次に、実施例に係る貯蔵庫の棚構造の作用について説明する。前記棚部材２４を収納室２０に所要の高さで設置する際に、先ず、幅方向に対向する対をなす棚受部４８,４８において、同一水平面上に位置する棚受部４８,４８を探す。このとき、同一水平面上に位置する各棚受部４８は、その前端部４８ａが上下に隣り合う別の棚受部４８の前端部４８ａとは相対的な位置関係が異なっているので、目印となり同一水平面上に位置するか否かの判断を助ける。すなわち、前記棚部材２４は、同一水平面上に位置する第１の棚受部４８,４８、あるいは第２の棚受部４８,４８に容易に載置することができるため、該棚部材２４の載置面は水平になり、物品を安定した状態で載置し得る。
【００１４】
また、前記棚受部４８は、前記内箱４２と一体成形されるから、前記棚受部４８の水平位置の判断を助ける構成にすることについて、作業工数の増加等に伴うコストの上昇がない。そして、真空成形等の成形方法で内箱４２を成形する場合、前記棚受部４８の前端部４８ａの位置がずれていると、樹脂の伸びを許容することができるので、成形が容易になる利点がある。
【００１５】
以下に、実施例の変更例について説明する。実施例では、前端部４８ａに位置が異なる２種類の棚受部４８,４８を上下方向に隣り合うよう設定して、これらを１単位として上下方向に亘って同じパターンで形成しているが、これに限定されず、上方または下方に隣り合う棚受部４８の前端部４８ａが異なる位置になっていれば、様々な態様を採用し得る。すなわち、前記棚受部４８の前端部４８ａを、上方から下方に向かうにつれて後側に偏倚するように設定した３段を１単位として上下方向に亘って同じパターンで形成した態様(図３参照)や、前端部４８ａの位置が小刻みに前後する４段を１単位とする態様(図４参照)や、前端部４８ａが上方から下方に向かうにつれて後側に偏倚した後、また前側に戻っていくように設定した４段を１単位とする態様(図５参照)等を採用することができる。すなわち、複数段の棚受部４８を１単位として、このパターンが上下方向に繰り返されるものであればよい。なお、特に図示しないが、前記棚受部４８の前端部４８ａが不規則に前後に位置する構成であってもよい。
【００１６】
また、実施例および変更例では、収納室２０の壁面を構成する内箱４２の側壁面４０ｂを突出させて棚受部４８,４８を一体的に形成したが、これに限定されず、内箱４０の側壁面４０ｂを凹設することで溝状の棚受部を形成する構成も採用し得る。また、前記棚受部４８の前端部４８ａまたは前端部４８ａの近傍に、凹凸、文字、記号等を内箱４２に一体的に形成する構成を併用してもよい。
【図面の簡単な説明】
【００１７】
【図１】本発明の好適な実施例に係る貯蔵庫の棚構造を示す断面図である。
【図２】実施例に係る貯蔵庫の棚構造を示す正面図である。
【図３】変更例に係る貯蔵庫の棚構造を示す断面図である。
【図４】別の変更例に係る貯蔵庫の棚構造を示す断面図である。
【図５】更に別の変更例に係る貯蔵庫の棚構造を示す断面図である。
【図６】従来の貯蔵庫の棚構造を示す縦断面図である。
【符号の説明】
【００１８】
２０ 収納室，２４ 棚部材，４０ 断熱箱体(箱体)，４０ａ 側壁面，４８ 棚受部
４８ａ 前端部
【図１】
2005080905.tif 000003
【図２】
2005080905.tif 000004
【図３】
2005080905.tif 000005
【図４】
2005080905.tif 000006
【図５】
2005080905.tif 000007
【図６】
2005080905.tif 000008